(57)【要約】【課題】無線通信の通信性能に優れた点灯装置を提供する。【解決手段】点灯装置１００は、光源１２に電力を供給する電源回路２０と、電源回路２０の動作を制御するための制御信号を受信するアンテナ３２を有する無線通信モジュール３０と、電源回路２０及び無線通信モジュール３０を収納する金属製の筐体４０とを備え、筐体４０は、辺４３を共有する側面４１及び側面４２を有し、側面４１には、辺４３における端部以外の第１部分４４から、辺４３に交差する第１方向に延びる第１スリット５１が設けられ、側面４２には、辺４３における端部以外の第２部分４５から、辺４３に交差する第２方向に延びる第２スリット５２が設けられ、第１スリット５１及び第２スリット５２は、アンテナ３２と電磁的に結合されてスロットアンテナとして機能する。【選択図】図３
2018137152.tif 000002
【特許請求の範囲】
【請求項１】
光源に電力を供給する電源回路と、
前記電源回路の動作を制御するための制御信号を受信するアンテナを有する無線通信モジュールと、
前記電源回路及び前記無線通信モジュールを収納する金属製の筐体とを備え、
前記筐体は、第１辺を共有する第１側面及び第２側面を有し、
前記第１側面には、前記第１辺における端部以外の第１部分から、前記第１辺に交差する第１方向に延びる第１スリットが設けられ、
前記第２側面には、前記第１辺における端部以外の第２部分から、前記第１辺に交差する第２方向に延びる第２スリットが設けられ、
前記第１スリット及び前記第２スリットは、前記アンテナと電磁的に結合されてスロットアンテナとして機能する
点灯装置。
【請求項２】
前記第１部分と前記第２部分とは、同じ部分であり、
前記第１スリットと前記第２スリットとは、連続している
請求項１に記載の点灯装置。
【請求項３】
前記筐体は、さらに、前記第２側面と第２辺を共有する第３側面を有し、
前記第３側面には、前記第２辺における端部以外の第３部分から第３方向に延びる第３スリットが設けられ、
前記第３スリットは、前記アンテナと電磁的に結合されてスロットアンテナとして機能し、
前記第２スリットは、前記第２部分から前記第３部分まで延在し、前記第３スリットに連続している
請求項１又は２に記載の点灯装置。
【請求項４】
前記第１方向及び前記第２方向の少なくとも一方は、前記第１辺に対して傾斜している
請求項１〜３のいずれか１項に記載の点灯装置。
【請求項５】
前記第１方向及び前記第２方向はそれぞれ、前記第１辺に対して直交している
請求項１〜３のいずれか１項に記載の点灯装置。
【請求項６】
さらに、前記第１スリット及び前記第２スリットの少なくとも一方に設けられた、スリット幅を維持する絶縁物を備える
請求項１〜５のいずれか１項に記載の点灯装置。
【請求項７】
前記絶縁物は、前記第１部分及び前記第２部分の少なくとも一方に設けられている
請求項６に記載の点灯装置。
【請求項８】
前記第１部分と前記第２部分とは、異なる部分であり、
前記第１辺には、前記第１部分から前記第２部分まで第４スリットが設けられ、
前記第４スリットは、前記アンテナと電磁的に結合されてスロットアンテナとして機能する
請求項１に記載の点灯装置。
【請求項９】
請求項１〜８のいずれか１項に記載の点灯装置と、
前記光源とを備える
照明装置。
【発明の詳細な説明】
【技術分野】
【０００１】
本発明は、点灯装置及び当該点灯装置を備える照明装置に関する。
【背景技術】
【０００２】
従来、無線通信機能を有する照明器具が知られている。例えば、特許文献１には、無線通信用のアンテナを備え、当該アンテナが受信した無線信号に応じた処理を行う照明器具が開示されている。
【先行技術文献】
【特許文献】
【０００３】
【特許文献１】特開２０１３−１４５６３４号公報
【発明の概要】
【発明が解決しようとする課題】
【０００４】
ところで、照明器具が備えるアンテナは、意匠性及び配光性の観点から照明器具を設置した状態で目立たないことが望ましい。このため、例えば、アンテナは、照明器具に電力を供給する電源回路を収納する筐体の内部に配置される。
【０００５】
しかしながら、電源回路を収納する筐体は、一般的には安全性の観点から金属を用いて形成されている。金属製の筐体は、電波を遮断するので、アンテナの通信機能の確保が課題となる。
【０００６】
そこで、本発明は、無線通信の通信性能に優れた点灯装置、及び、当該点灯装置を備える照明装置を提供することを目的とする。
【課題を解決するための手段】
【０００７】
上記目的を達成するため、本発明の一態様に係る点灯装置は、光源に電力を供給する電源回路と、前記電源回路の動作を制御するための制御信号を受信するアンテナを有する無線通信モジュールと、前記電源回路及び前記無線通信モジュールを収納する金属製の筐体とを備え、前記筐体は、第１辺を共有する第１側面及び第２側面を有し、前記第１側面には、前記第１辺における端部以外の第１部分から、前記第１辺に交差する第１方向に延びる第１スリットが設けられ、前記第２側面には、前記第１辺における端部以外の第２部分から、前記第１辺に交差する第２方向に延びる第２スリットが設けられ、前記第１スリット及び前記第２スリットは、前記アンテナと電磁的に結合されてスロットアンテナとして機能する。
【０００８】
また、本発明の一態様に係る点灯装置は、前記点灯装置と、前記光源とを備える。
【発明の効果】
【０００９】
本発明によれば、無線通信の通信性能に優れた点灯装置などを提供することができる。
【図面の簡単な説明】
【００１０】
【図１】実施の形態に係る照明装置の構成を模式的に示す側面図である。
【図２】実施の形態に係る点灯装置が備える無線通信モジュールの平面図である。
【図３】実施の形態の実施例に係るＬ字状のスリットが設けられた電源筐体の斜視図である。
【図４Ａ】比較例１に係る１本のスリットが設けられた電源筐体の斜視図である。
【図４Ｂ】比較例２に係る２本のスリットが設けられた電源筐体の斜視図である。
【図５Ａ】実施例、比較例１及び比較例２の各々のｘｙ平面における平均利得を示す図である。
【図５Ｂ】実施例、比較例１及び比較例２の各々のｙｚ平面における平均利得を示す図である。
【図５Ｃ】実施例、比較例１及び比較例２の各々のｚｘ平面における平均利得を示す図である。
【図６Ａ】比較例２に係るｘｙ平面におけるアンテナ特性を示す図である。
【図６Ｂ】比較例２に係るｙｚ平面におけるアンテナ特性を示す図である。
【図６Ｃ】比較例２に係るｚｘ平面におけるアンテナ特性を示す図である。
【図７Ａ】実施例に係るｘｙ平面におけるアンテナ特性を示す図である。
【図７Ｂ】実施例に係るｙｚ平面におけるアンテナ特性を示す図である。
【図７Ｃ】実施例に係るｚｘ平面におけるアンテナ特性を示す図である。
【図８】実施の形態の変形例１に係る電源筐体の斜視図である。
【図９】実施の形態の変形例２に係る電源筐体の斜視図である。
【図１０】実施の形態の変形例３に係る電源筐体の斜視図である。
【図１１】実施の形態の変形例４に係る電源筐体の斜視図である。
【発明を実施するための形態】
【００１１】
以下では、本発明の実施の形態に係る点灯装置及び照明装置について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１３】
また、本明細書及び図面において、ｘ軸、ｙ軸及びｚ軸は、三次元直交座標系の三軸を示している。各実施の形態では、ｚ軸方向を鉛直方向とし、ｚ軸に垂直な方向（ｘｙ平面に平行な方向）を水平方向としている。なお、ｚ軸の正方向を鉛直上方としている。
【００１４】
（実施の形態）
［概略］
まず、本実施の形態に係る照明装置の概要について、図１を用いて説明する。図１は、本実施の形態に係る照明装置１の構成を模式的に示す側面図である。
【００１５】
図１に示すように、照明装置１は、天井材２に設けられた取付孔３に埋込配設される埋込型の照明器具である。照明装置１は、下方（床又は壁など）に光を照射する天井埋込型のダウンライトである。
【００１６】
図１に示すように、照明装置１は、灯具１０と、灯具１０が備える光源１２に電力を供給する点灯装置１００とを備える。点灯装置１００は、電源回路２０と、無線通信モジュール３０と、金属製の筐体４０とを備える。筐体４０には、スリット５０が設けられている。照明装置１は、さらに、灯具１０と点灯装置１００とを接続するケーブル６０と、商用電源などの外部電源から交流電力を受ける端子台７０とを備える。
【００１７】
以下では、本実施の形態に係る照明装置１が備える各構成部材について詳細に説明する。
【００１８】
［灯具］
灯具１０は、照明装置１の本体部であり、白色光などの照明光を出射する。図１に示すように、灯具１０は、器具本体１１と、光源１２と、鍔部１３と、取付バネ１４とを備える。なお、図１では、灯具１０の光軸Ｊを境界として左側は、灯具１０の外観（側面）を、右側は、灯具１０の内部の構成をそれぞれ模式的に示している。
【００１９】
器具本体１１は、例えば、略円錐台形状の有底筒体であり、内部の取付面に光源１２が取り付けられている。器具本体１１の底部の外側には、外方に向けて突出する複数の放熱フィンが設けられている。器具本体１１は、例えば、金属材料を用いて形成されており、例えばアルミダイカスト製である。
【００２０】
器具本体１１の外側面には、取付バネ１４が固定されている。取付バネ１４は、例えば、鉄などの金属材料を用いてプレス加工などによって成形された長尺状の細板状の部材である。取付バネ１４と鍔部１３とが天井材２を挟持することで、灯具１０が取付孔３に固定される。鍔部１３は、器具本体１１の光出射側の端部であり、光出射口を囲むように略円環状に形成されている。
【００２１】
光源１２は、ＬＥＤ（Ｌｉｇｈｔ  Ｅｍｉｔｔｉｎｇ  Ｄｉｏｄｅ）などの発光素子を有する光源モジュールである。光源１２は、白色光などの可視光を照明光として出射する。光源１２は、例えば、電源回路２０からの制御に基づいて調光及び調色が可能である。
【００２２】
光源１２は、例えば、ＣＯＢ（Ｃｈｉｐ  Ｏｎ  Ｂｏａｒｄ）型の光源モジュールであるが、これに限らない。光源１２は、ＳＭＤ（Ｓｕｒｆａｃｅ  Ｍｏｕｎｔ  Ｄｅｖｉｃｅ）型のＬＥＤを備える光源モジュールでもよい。あるいは、光源１２は、有機ＥＬ（Ｅｌｅｃｔｒｏｌｕｍｉｎｅｓｃｅｎｃｅ）素子若しくは無機ＥＬ素子を備えてもよく、蛍光灯などの放電ランプを備えてもよい。
【００２３】
［電源回路］
電源回路２０は、灯具１０の光源１２に電力を供給する点灯回路である。電源回路２０は、筐体４０内に配置されている。電源回路２０は、プリント配線基板などの金属配線が形成された回路基板と、当該回路基板に実装された複数の回路素子とで構成されている。電源回路２０は、端子台７０を介して外部から受けた交流電力を直流電力に変換し、変換した直流電力を灯具１０の光源１２に供給する。本実施の形態では、電源回路２０は、ケーブル６０を介して灯具１０の光源１２に電力を供給する。
【００２４】
［無線通信モジュール］
無線通信モジュール３０は、無線通信を行うことで、電源回路２０の動作を制御するための制御信号を受信する。無線通信モジュール３０は、例えば、Ｗｉ−Ｆｉ（登録商標）、Ｂｌｕｅｔｏｏｔｈ（登録商標）又はＺｉｇＢｅｅ（登録商標）などの無線通信規格に基づいた無線通信を行う。例えば、無線通信モジュール３０は、３００ＭＨｚ〜３ＧＨｚのＵＨＦ（Ｕｌｔｒａ  Ｈｉｇｈ  Ｆｒｅｑｕｅｎｃｙ）帯の周波数を用いて無線通信を行う。無線通信モジュール３０は、制御装置又は無線通信機能を有する他の照明装置１などから制御信号を受信する。制御信号には、光源１２の点灯、消灯、調光及び調色などの指示が含まれる。
【００２５】
本実施の形態では、無線通信モジュール３０は、筐体４０の内部に収納されている。具体的には、無線通信モジュール３０は、筐体４０の内部において、スリット５０の近傍に配置されている。
【００２６】
図２は、本実施の形態に係る点灯装置１００が備える無線通信モジュール３０の平面図である。図２に示すように、無線通信モジュール３０は、基板３１と、制御信号を受信するアンテナ３２とを有する。無線通信モジュール３０は、アンテナ３２が受信した制御信号に基づいて、電源回路２０を制御する。
【００２７】
アンテナ３２は、一次励磁用のアンテナであり、筐体４０に設けられたスリット５０を二次アンテナとして機能させる。アンテナ３２は、例えば、基板３１に設けられたパターンアンテナであるが、これに限定されない。なお、基板３１は、例えばプリント配線基板などである。基板３１は、電源回路２０の回路基板と一体に構成されていてもよい。
【００２８】
図２に示すように、アンテナ３２は、放射導体３３と、接地導体３４と、給電点３５とを備える。なお、図２では、給電点３５を模式的に図示している。
【００２９】
放射導体３３は、銅などの金属配線であり、無線通信の周波数（電磁波の波長）に応じた長さに形成されている。例えば、無線信号の波長をλとしたとき、放射導体３３の長さは、略λ／４である。ここでは、放射導体３３は、ミアンダ状に設けられている例について示したが、直線状、Ｌ字状、スパイラル状又は矩形平面状に設けられていてもよい。
【００３０】
接地導体３４は、銅などの金属配線の一部であり、接地されている。接地導体３４は、仮想的に放射導体３３と同等の機能を発揮する。接地導体３４の形状は、例えば矩形であるが、これに限らない。
【００３１】
図示しないが、無線通信モジュール３０は、アンテナ３２が受信した制御信号を処理するＩＣチップなどの制御回路が基板３１に設けられている。例えば、ＩＣチップは、基板３１のアンテナ３２が形成された面に実装されてもよく、反対側の面に実装されてもよい。ＩＣチップは、例えば、アンテナ３２の給電点３５に電気的に接続されている。
【００３２】
［筐体及びスリット］
筐体４０は、電源回路２０及び無線通信モジュール３０を収納する金属製の筐体である。筐体４０は、塵埃及び水分などが電源回路２０及び無線通信モジュール３０に付着するのを抑制する。筐体４０は、電源回路２０などの回路が仮にショート（短絡）した場合においても火災などが発生するのを防止することを目的として、例えば、アルミニウムなどの金属材料を用いて形成されている。
【００３３】
筐体４０は、例えば、略直方体状などの長尺な筐体である。筐体４０の長手方向（ｘ軸方向）の一方の端部にケーブル６０が接続されている。他方の端部には、外部（商用電源）からの交流電力を受けるための端子台７０が接続されている。なお、筐体４０の形状は、略立方体状又は略円柱状でもよい。
【００３４】
本実施の形態では、筐体４０には、図１に示すように、外側面に少なくとも１つのスリット５０が設けられている。以下では、図３を用いて、筐体４０及びスリット５０について詳細に説明する。図３は、本実施の形態に係るＬ字状のスリット５０が設けられた筐体４０の斜視図である。
【００３５】
筐体４０は、図３に示すように、辺（稜線）４３を共有する側面４１及び側面４２を有する。側面４１と側面４２とは、所定角度をなすように辺４３で接続されている。例えば、側面４１と側面４２とは、略垂直に接続されている。側面４１は、筐体４０の長手方向に沿った第１側面であり、側面４２は、筐体４０の短手方向に沿った第２側面である。なお、側面４１及び側面４２の一方は、筐体４０の天面又は底面であってもよい。
【００３６】
側面４１には、辺４３の端部以外の第１部分４４から、辺４３に交差する第１方向に延びる第１スリット５１が設けられている。本実施の形態では、第１スリット５１が延びる第１方向は、辺４３に対して直交している。つまり、第１方向は、筐体４０の長手方向（ｘ軸方向）である。第１スリット５１は、長尺の略長方形状の開口（貫通孔）である。第１スリット５１は、側面４１の端（すなわち、筐体４０の稜線）には設けられていない。第１スリット５１の短手方向における両側には、側面４１が存在している。
【００３７】
側面４２には、辺４３の端部以外の第２部分４５から、辺４３に交差する第２方向に延びる第２スリット５２が設けられている。本実施の形態では、第２スリット５２が延びる第２方向は、辺４３に対して直交している。つまり、第２方向は、筐体４０の短手方向（ｙ軸方向）である。第２スリット５２は、長尺の略長方形状の開口（貫通孔）である。第２スリット５２は、側面４２の端（すなわち、筐体４０の稜線）には設けられていない。第２スリット５２の短手方向における両側には、側面４２が存在している。
【００３８】
本実施の形態では、図３に示すように、第１部分４４と第２部分４５とは、同じ部分である。つまり、第１スリット５１と第２スリット５２とは、連続している。具体的には、第１スリット５１と第２スリット５２とは、直交しており、上面視においてＬ字状のスリット５０を形成している。
【００３９】
スリット５０は、無線通信モジュール３０のアンテナ３２と電磁的に結合されてスロットアンテナとして機能する。例えば、外部から送信された無線信号（電磁波）を受信する場合、当該無線信号によって、スリット５０の短辺方向（ｚ軸方向）に電界が発生する。これにより、スリット５０がアンテナとして機能し、受信した無線信号を内部のアンテナ３２に向けて放射する。また、アンテナ３２が無線信号（電磁波）を送信する場合も同様に、当該無線信号によってスリット５０の短辺方向に電界が発生する。これにより、スリット５０がアンテナとして機能し、無線信号を外部に放射する。
【００４０】
なお、スリット５０をスロットアンテナとして機能させるため、アンテナ３２は、筐体４０内において、スリット５０に近い位置に配置されている。例えば、無線通信モジュール３０は、基板３１の主面（アンテナ３２が設けられた面）が側面４１に平行になるように、側面４１の近傍に配置されている。このとき、アンテナ３２を平面視したときに、アンテナ３２は、図２に示す両矢印の範囲にスリット５０が重なるように配置されている。スリット５０は、アンテナ３２の励振方向（ｚ軸方向）に直交するように設けられている。例えば、スリット５０は、アンテナ３２の接地導体３４に重複し、ｘ軸に平行に延びている。
【００４１】
スリット５０の延在方向に沿った長さ、すなわち、第１スリット５１の長さ（ｘ軸方向）と第２スリット５２の長さ（ｙ軸方向）との合計長は、例えば、無線通信の周波数に対応する波長λの略半波長（すなわち、λ／２）以上である。本実施の形態では、ＵＨＦ帯の周波数を利用するので、スリット５０の延在方向の長さは、５０ｍｍ〜５００ｍｍである。例えば、無線通信に９６０ＭＨｚの周波数を利用する場合、スリット５０の長さは、約１６０ｍｍ必要となる。
【００４２】
なお、本実施の形態では、筐体４０の長手方向の長さは、スリット５０の全長（具体的には、無線信号のλ／２）よりも短い。つまり、筐体４０の１つの側面（例えば側面４１）に、直線状にλ／２の長さのスリットを設けることができない。このため、本実施の形態では、２面に亘ってスリット５０が設けられている。
【００４３】
［ケーブル及び端子台］
ケーブル６０は、灯具１０と筐体４０とを接続する。具体的には、ケーブル６０は、灯具１０と筐体４０とにそれぞれ固定されている。ケーブル６０は、電力供給用の配線ケーブルである。このため、ケーブル６０は、筐体４０に収納された電源回路２０、及び、灯具１０の光源１２と電気的に接続されている。
【００４４】
端子台７０は、商用電源などの外部電源から交流電力を受ける受電部である。端子台７０には、商用電源などに接続されたＡＣケーブル（図示せず）が接続される。端子台７０が受けた交流電力は、電源回路２０によって直流電力に変換され、ケーブル６０を介して光源１２に供給される。
【００４５】
［無線通信性能］
続いて、本実施の形態に係る照明装置１（点灯装置１００）の無線通信性能のシミュレーション結果について、比較例と比較しながら説明する。
【００４６】
以下では、実施例として、図３で示した筐体４０において、スリット５０の長さが約１５４ｍｍである場合を説明する。また、スリット５０の第１スリット５１は、側面４１を平面視した場合に、アンテナ３２の接地導体３４に重複するように設けている。
【００４７】
さらに、比較例１及び比較例２として、筐体４０に設けられるスリット５０の形状が実施例とは相違する場合を説明する。
【００４８】
図４Ａ及び図４Ｂはそれぞれ、比較例１及び比較例２に係る筐体４０ａ及び４０ｂの斜視図である。図４Ａに示すように、比較例１に係る筐体４０ａでは、側面４１に、ｘ軸方向に延びる長尺の略長方形状のスリット５０ａが１本設けられている。また、図４Ｂに示すように、比較例２に係る筐体４０ｂでは、比較例１と同様のスリット５０ａだけでなく、側面４１の反対側の側面にスリット５０ｂが設けられている。スリット５０ａ及びスリット５０ｂの長さは、同じであり、約１２５ｍｍである。スリット５０ａ及びスリット５０ｂは、アンテナ３２の給電点３５付近に重複するように設けている。なお、スリット幅（短手方向の長さ）は、スリット５０、５０ａ及び５０ｂにおいて同じであり、例えば、１ｍｍ以下であり、０．５ｍｍでもよく、０．１ｍｍでもよい。
【００４９】
図５Ａ〜図５Ｃはそれぞれ、実施例、比較例１及び比較例２の各々のｘｙ平面、ｙｚ平面及びｚｘ平面における平均利得を示す図である。なお、図５Ａ〜図５Ｃには、垂直偏波及び水平偏波の両方の平均利得について示しているが、本実施の形態では、水平偏波が指向性を有するので、垂直偏波を無線通信に利用する。
【００５０】
なお、ｘｙ平面は、無線通信モジュール３０の基板３１の主面（アンテナ３２が形成された面）に直交し、かつ、スリット５０、５０ａ及び５０ｂに平行な面である。具体的には、ｘｙ平面は天井材２に平行な面である。ｙｚ平面は、基板３１の主面に直交し、かつ、スリット５０の第１スリット５１、並びに、スリット５０ａ及び５０ｂに直交する面である。ｚｘ平面は、基板３１の主面に平行で、かつ、スリット５０の第２スリット５２、並びに、スリット５０ａ及び５０ｂに直交する面である。
【００５１】
図５Ａに示すように、ｘｙ平面において、実施例に係る筐体４０による垂直偏波の平均利得は、比較例１及び２よりも大きい。なお、水平偏波についても同様である。
【００５２】
図５Ｂに示すように、ｙｚ平面において、実施例に係る筐体４０による垂直偏波の平均利得は、比較例１に係る筐体４０ａと略同じであり、比較例２に係る筐体４０ｂよりも大きい。なお、水平偏波の平均利得は、実施例の場合が比較例１及び２よりも大きい。
【００５３】
図５Ｃに示すように、ｚｘ平面において、実施例に係る筐体４０による垂直偏波の平均利得は、比較例１及び２によりも遥かに大きい。なお、水平偏波の平均利得は、実施例の場合が比較例１及び２よりも小さい。
【００５４】
以上のように、垂直偏波を利用した無線通信を行う場合には、実施例に係る筐体４０を用いることで、比較例１及び２に比べて平均利得が向上することが分かる。特に、ｚｘ平面における平均利得の向上が著しい。
【００５５】
図６Ａ〜図６Ｃはそれぞれ、比較例２に係るｘｙ平面、ｙｚ平面、ｚｘ平面におけるアンテナ特性を示す図である。図７Ａ〜図７Ｃはそれぞれ、実施例に係るｘｙ平面、ｙｚ平面、ｚｘ平面におけるアンテナ特性を示す図である。各図において、点線は水平偏波、実線は垂直偏波、破線は水平偏波と垂直偏波との合計を示している。
【００５６】
図６Ａと図７Ａとを比較して分かるように、比較例２及び実施例のいずれの場合も、ｘｙ平面における垂直偏波の利得は、全方位に対して略均等であり、指向性が弱いことが分かる。
【００５７】
図６Ｂと図７Ｂとを比較して分かるように、比較例２及び実施例のいずれの場合も、ｙｚ平面において、１１５°及び−１２０°の方向に垂直偏波の利得が下がっている部分が有る。したがって、実施例では、比較例２と同等の特性が実現できていることが分かる。
【００５８】
図６Ｃと図７Ｃとを比較して分かるように、比較例２及び実施例のいずれの場合も、ｚｘ平面において、９０°及び−９０°の方向に垂直偏波の利得が下がっている部分が有る。しかしながら、図７Ｃに示すように、実施例では、利得の減少が抑えられ、かつ、全体的に利得が大きくなっている。具体的には、図５Ｃで示したように、平均利得では実施例の方が比較例２の場合よりも大きく優れている。
【００５９】
［効果など］
以上のように、本実施の形態に係る点灯装置１００は、光源１２に電力を供給する電源回路２０と、電源回路２０の動作を制御するための制御信号を受信するアンテナ３２を有する無線通信モジュール３０と、電源回路２０及び無線通信モジュール３０を収納する金属製の筐体４０とを備え、筐体４０は、辺４３を共有する側面４１及び側面４２を有し、側面４１には、辺４３における端部以外の第１部分４４から、辺４３に交差する第１方向に延びる第１スリット５１が設けられ、側面４２には、辺４３における端部以外の第２部分４５から、辺４３に交差する第２方向に延びる第２スリット５２が設けられ、第１スリット５１及び第２スリット５２は、アンテナ３２と電磁的に結合されてスロットアンテナとして機能する。
【００６０】
これにより、筐体４０の２つの面にスリットが形成されているので、スリットの長さを確保しやすくなる。このため、無線通信の通信性能を高めることができる。
【００６１】
特に、筐体４０がダウンライトの電源筐体である場合のように、施工者が照明装置１の設置を行う場合、筐体４０をどのような姿勢で設置するかが分からない。つまり、筐体４０の設置姿勢を管理することは難しい。このため、筐体４０がどのような姿勢で配置された場合にも通信性能を確保するためには、点灯装置１００による無線通信は、無指向性であることが望まれる。本実施の形態に係る点灯装置１００によれば、図７Ａ〜図７Ｃを用いて説明したように、略全方位に亘って無指向性を実現している。
【００６２】
以上のように、本実施の形態によれば、無線通信の通信性能に優れた点灯装置１００を実現することができる。
【００６３】
また、第１スリット５１及び第２スリット５２はそれぞれ、辺４３の端部以外の部分から延びるように設けられている。これにより、筐体４０の稜線（辺）に沿ってスリットを設ける場合よりも筐体４０の強度を高めることができる。このため、筐体４０の破損などを抑制することができ、安全性及び信頼性の高い点灯装置１００を実現することができる。
【００６４】
また、例えば、第１部分４４と第２部分４５とは、同じ部分であり、第１スリット５１と第２スリット５２とは、連続している。
【００６５】
これにより、連続する第１スリット５１と第２スリット５２とによって１つのスリット５０が形成されるので、スリット５０の長さとしてλ／２を確保しやすくなる。したがって、点灯装置１００の通信性能を高めることができる。
【００６６】
また、例えば、第１スリット５１の延在方向（第１方向）及び第２スリット５２の延在方向（第２方向）はそれぞれ、辺４３に対して直交している。
【００６７】
これにより、第１スリット５１と第２スリット５２とが直交しているので、第１スリット５１及び第２スリット５２の両方をアンテナ３２の励振方向に直交させることができる。したがって、利得を高めることができ、点灯装置１００の通信性能を高めることができる。
【００６８】
また、例えば、本実施の形態に係る照明装置１は、点灯装置１００と、光源１２とを備える。
【００６９】
これにより、点灯装置１００を備えるので、無線通信の通信性能に優れた照明装置１を実現することができる。
【００７０】
（変形例）
以下では、実施の形態の変形例１〜４について説明する。
【００７１】
変形例１〜４に係る点灯装置及び照明装置では、実施の形態と比較して、筐体４０の構成が相違している。したがって、以下の説明では、各変形例の筐体の構成を中心に説明し、他の構成の説明を省略又は簡略化する。
【００７２】
［変形例１］
まず、変形例１について、図８を用いて説明する。図８は、本変形例に係る筐体１４０の斜視図である。
【００７３】
図８に示すように、筐体１４０には、実施の形態と同様のスリット５０が設けられている。スリット５０には、絶縁物１８０が設けられている。
【００７４】
絶縁物１８０は、スリット幅を維持する構造物であり、電気的に絶縁性を有する。絶縁物１８０は、例えば、エポキシ系の樹脂材料を用いて形成されている。
【００７５】
本変形例では、絶縁物１８０は、第１スリット５１と第２スリット５２との両方に設けられている。具体的には、絶縁物１８０は、第１スリット５１と第２スリット５２との交差部、すなわち、辺４３上の第１部分４４（つまり第２部分４５）に設けられている。
【００７６】
なお、絶縁物１８０は、第１スリット５１及び第２スリット５２のいずれか一方のみに設けられていてもよい。例えば、絶縁物１８０は、第１スリット５１又は第２スリット５２の中央部、又は、第１部分４４若しくは第２部分４５の反対側の端部に設けられていてもよい。また、複数の絶縁物１８０が第１スリット５１及び第２スリット５２の少なくとも一方に離散的に設けられていてもよい。絶縁物１８０は、第１スリット５１及び第２スリット５２の全体を埋めるように設けられていてもよい。
【００７７】
以上のように、本変形例に係る点灯装置は、さらに、第１スリット５１及び第２スリット５２の少なくとも一方に設けられた、スリット幅を維持する絶縁物１８０を備える。
【００７８】
これにより、スリット５０の幅を維持することができるので、無線通信の通信性能の低下を抑制することができる。また、筐体１４０の変形を抑制し、筐体１４０の強度を高めることができる。また、スリット５０の少なくとも一部を物理的に埋めることで、内部に塵埃及び水分が進入するのを抑制することができ、安全性及び信頼性を高めることができる。
【００７９】
また、例えば、絶縁物１８０は、第１部分４４及び第２部分４５の少なくとも一方に設けられている。
【００８０】
これにより、辺４３上に絶縁物１８０が設けられているので、筐体１４０の強度をより高めることができる。
【００８１】
［変形例２］
次に、変形例２について、図９を用いて説明する。図９は、本変形例に係る筐体２４０の斜視図である。
【００８２】
図９に示すように、筐体２４０は、側面４２と辺２４２を共有する側面２４１を有する。側面２４１と側面４２とは、所定角度をなすように辺２４２で接続されている。例えば、側面２４１と側面４２とは、略垂直に接続されている。本変形例では、側面２４１は、筐体２４０の長手方向に沿った第３側面であり、側面４１と略平行に対向配置された面である。
【００８３】
側面２４１には、辺２４２の端部以外の第３部分２４３から第３方向に延びる第３スリット２５３が設けられている。第３方向は、例えば、筐体２４０の長手方向（ｘ軸方向）である。つまり、本変形例では、第３スリット２５３は、第１スリット５１と略平行である。第３スリット２５３は、長尺の略長方形状の開口（貫通孔）である。第３スリット２５３は、側面２４１の端（すなわち、筐体２４０の稜線）には設けられていない。第３スリット２５３の短手方向における両側には、側面２４１が存在している。なお、第３スリット２５３の長さは、例えば第１スリット５１の長さと同じであるが、これに限らない。
【００８４】
本変形例では、側面４２に設けられた第２スリット２５２は、第２部分４５から第３部分２４３まで延在している。すなわち、第１スリット５１と第２スリット２５２と第３スリット２５３とは、連続している。具体的には、第１スリット５１と第２スリット２５２とが直交し、かつ、第２スリット２５２と第３スリット２５３とが直交しており、上面視において略Ｕ字状のスリット２５０を形成している。スリット２５０は、無線通信モジュール３０のアンテナ３２と電磁的に結合されてスロットアンテナとして機能する。
【００８５】
以上のように、本変形例に係る点灯装置では、筐体２４０は、さらに、側面４２と辺２４２を共有する側面２４１を有し、側面２４１には、辺２４２における端部以外の第３部分２４３から第３方向に延びる第３スリット２５３が設けられ、第３スリット２５３は、アンテナ３２と電磁的に結合されてスロットアンテナとして機能し、第２スリット２５２は、第２部分４５から第３部分２４３まで延在し、第３スリット２５３に連続している。
【００８６】
これにより、筐体２４０の３面に亘ってスリット２５０が形成されているので、スリット２５０の全長をより長くすることができる。したがって、無線通信に利用できる通信帯域を広げることができる。
【００８７】
［変形例３］
次に、変形例３について、図１０を用いて説明する。図１０は、本変形例に係る筐体３４０の斜視図である。
【００８８】
図１０に示すように、筐体３４０は、側面４２と辺３４２を共有する側面３４１を有する。側面３４１と側面４２とは、所定角度をなすように辺３４２で接続されている。例えば、側面３４１と側面４２とは、略垂直に接続されている。本変形例では、側面３４１は、筐体３４０の長手方向に沿った第３側面であり、側面４１と略垂直に配置された面である。つまり、側面３４１は、側面４１とも辺を共有している。
【００８９】
側面３４１には、辺３４２の端部以外の第３部分３４３から第３方向に延びる第３スリット３５３が設けられている。第３方向は、例えば、筐体３４０の長手方向（ｘ軸方向）である。つまり、本変形例では、第３スリット３５３は、第１スリット５１と略平行である。第３スリット３５３は、長尺の略長方形状の開口（貫通孔）である。第３スリット３５３は、側面３４１の端（すなわち、筐体３４０の稜線）には設けられていない。第３スリット３５３の短手方向における両側には、側面３４１が存在している。
【００９０】
本変形例では、側面４２に設けられた第２スリット３５２の延在方向（第２方向）は、辺４３に対して傾斜している。具体的には、第２方向は、第２部分４５から第３部分３４３に向かう方向である。
【００９１】
具体的には、第２スリット３５２は、第２部分４５から第３部分３４３まで延在している。すなわち、第１スリット５１と第２スリット３５２と第３スリット３５３とは、連続している。具体的には、第１スリット５１と第２スリット３５２と第３スリット３５３とが連続しており、略Ｕ字状のスリット３５０を形成している。スリット３５０は、無線通信モジュール３０のアンテナ３２と電磁的に結合されてスロットアンテナとして機能する。
【００９２】
なお、第１スリット５１の延在方向（第１方向）も辺４３に対して傾斜していてもよい。第３スリット３５３の延在方向（第３方向）も辺３４２に対して傾斜していてもよい。筐体３４０の各面に設けられたスリットの延在方向は、いかなる方向でもよい。
【００９３】
以上のように、本変形例に係る点灯装置では、例えば、第１スリット５１の延在方向及び第２スリット３５２の延在方向の少なくとも一方は、辺４３に対して傾斜している。
【００９４】
これにより、筐体３４０の３面に亘ってスリット３５０が形成されているので、スリット３５０の全長をより長くすることができる。したがって、無線通信に利用できる通信帯域を広げることができる。
【００９５】
また、スリット３５０の一部がアンテナ３２の励振方向に対して斜めに傾斜していることで、通信範囲に指向性を持たせることができる。これにより、特定の方向に向けて通信範囲を広げることができる。
【００９６】
［変形例４］
次に、変形例４について、図１１を用いて説明する。図１１は、本変形例に係る筐体４４０の斜視図である。
【００９７】
図１１に示すように、筐体４４０の側面４１には、辺４３の端部以外の第１部分４４４から、辺４３に交差する第１方向に延びる第１スリット４５１が設けられている。筐体４４０の側面４２には、辺４３の端部以外の第２部分４４５から、辺４３に交差する第２方向に延びる第２スリット４５２が設けられている。本変形例では、第１部分４４４と第２部分４４５とは、辺４３上において、異なる部分である。
【００９８】
辺４３には、第１部分４４４から第２部分４４５まで第４スリット４５４が設けられている。つまり、第４スリット４５４は、辺４３に沿って切り欠かれた稜線スリットである。
【００９９】
本変形例では、第１スリット４５１と第４スリット４５４と第２スリット４５２とが連続しており、折線状のスリット４５０を形成している。スリット４５０は、無線通信モジュール３０のアンテナ３２と電磁的に結合されてスロットアンテナとして機能する。
【０１００】
以上のように、本変形例に係る点灯装置では、例えば、第１部分４４４と第２部分４４５とは、異なる部分であり、辺４３には、第１部分４４４から第２部分４４５まで第４スリット４５４が設けられ、第４スリット４５４は、アンテナ３２と電磁的に結合されてスロットアンテナとして機能する。
【０１０１】
これにより、辺４３上の第４スリット４５４を利用して、スリット４５０の全長をより長くすることができる。したがって、無線通信に利用できる通信帯域を広げることができる。また、第４スリット４５４が設けられていることで、通信範囲に指向性を持たせることができる。これにより、特定の方向に向けて通信範囲を広げることができる。
【０１０２】
（その他）
以上、本発明に係る点灯装置及び照明装置について、上記の実施の形態及びその変形例に基づいて説明したが、本発明は、上記の実施の形態に限定されるものではない。
【０１０３】
例えば、上記の実施の形態では、アンテナ３２の励振方向と各スリットが直交している例について示したが、これに限らない。例えば、アンテナ３２の励振方向に対して、各スリットは傾斜していてもよい。このときの傾斜角は、例えば、４５°以下であってもよい。
【０１０４】
また、例えば、上記の実施の形態では、筐体に設けられる各スリットが所定方向に延びる直線状のスリットである例について示したが、これに限らない。各スリットは、面内で屈曲していてもよい。例えば、第１スリット５１は、側面４１内でＬ字状又はＵ字状に形成されていてもよい。また、例えば、筐体の１つの側面に複数のスリットが設けられていてもよい。
【０１０５】
また、例えば、上記の実施の形態では、筐体の２つの側面は、辺（すなわち、稜線）を共有し、互いに直交している例について示したが、これに限らない。２つの側面のなす角度は、鋭角でもよく、鈍角でもよい。また、２つの側面が共有する辺は、丸面取り又は角面取りなどの面取りが施されていてもよい。
【０１０６】
また、例えば、上記の実施の形態では、照明装置１が天井埋込型のダウンライトである例について示したが、これに限らない。例えば、照明装置１は、天井材２の代わりに、壁材、床材又は柱材などの他の造営材に埋め込み配設されてもよい。あるいは、照明装置１は、埋込型の照明器具に限られず、スポットライトなどの他の照明器具でもよい。また、筐体に光源が収納され、筐体が器具本体であってもよい。例えば、照明装置１は、シーリングライト、ベースライト、デスクライトなどでもよい。
【０１０７】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１０８】
１  照明装置
１２  光源
２０  電源回路
３０  無線通信モジュール
３２  アンテナ
４０、１４０、２４０、３４０、４４０  筐体
４１  側面（第１側面）
４２  側面（第２側面）
４３  辺（第１辺）
４４、４４４  第１部分
４５、４４５  第２部分
５０、２５０、３５０、４５０  スリット（スロットアンテナ）
５１、４５１  第１スリット
５２、２５２、３５２、４５２  第２スリット
１００  点灯装置
１８０  絶縁物
２４１、３４１  側面（第３側面）
２４２、３４２  辺（第２辺）
２４３、３４３  第３部分
２５３、３５３  第３スリット
４５４  第４スリット
【図１】
2018137152.tif 000003
【図２】
2018137152.tif 000004
【図３】
2018137152.tif 000005
【図４Ａ】
2018137152.tif 000006
【図４Ｂ】
2018137152.tif 000007
【図５Ａ】
2018137152.tif 000008
【図５Ｂ】
2018137152.tif 000009
【図５Ｃ】
2018137152.tif 000010
【図６Ａ】
2018137152.tif 000011
【図６Ｂ】
2018137152.tif 000012
【図６Ｃ】
2018137152.tif 000013
【図７Ａ】
2018137152.tif 000014
【図７Ｂ】
2018137152.tif 000015
【図７Ｃ】
2018137152.tif 000016
【図８】
2018137152.tif 000017
【図９】
2018137152.tif 000018
【図１０】
2018137152.tif 000019
【図１１】
2018137152.tif 000020